(57)【要約】【課題】冊子部と封筒部とが切り離し可能に連接した構成においても郵送可能とする。【解決手段】冊子部１０と封筒部２０とが切り離し可能に連接した構成において、冊子部１０は、上紙２と下紙３との間に中紙４ａ〜４ｃが挟み込まれ、上紙２と下紙３と中紙４ａ〜４ｃとが１辺を綴じ部として綴じ合わされて構成され、封筒部２０は、上紙２と下紙３が冊子部１０から綴じ部とは反対側に延長し、延長した上紙２と下紙３とが冊子部１０との連接部以外の３辺にて貼着されることにより構成され、上紙２と下紙３のそれぞれには、冊子部１０と封筒部２０との連接部にミシン線３１，３２が形成されている。【選択図】図２
2014205292.tif 000002
【特許請求の範囲】
【請求項１】
冊子部と封筒部とが切り離し可能に連接してなる封筒付き冊子であって、
前記冊子部は、上紙と下紙との間に少なくとも１枚の中紙が挟み込まれ、前記上紙、下紙及び中紙が１辺を綴じ部として綴じ合わされて構成され、
前記封筒部は、前記上紙と前記下紙が前記冊子部から前記綴じ部とは反対側に延長し、延長した前記上紙と前記下紙とが前記冊子部との連接部以外の３辺にて貼着されることにより構成され、
前記上紙と前記下紙のそれぞれには、前記冊子部と前記封筒部との連接部に切り離し線が形成されている封筒付き冊子。
【請求項２】
請求項１に記載の封筒付き冊子において、
前記上紙と前記下紙とは、前記冊子部にて前記綴じ部に隣接する２辺の少なくとも一部が互いに貼着され、
前記上紙は、前記冊子部を開封する開封構造を有し、
前記中紙は、前記連接部を超えないような形態とされて前記上紙及び下紙と綴じ合わされている封筒付き冊子。
【請求項３】
請求項１または請求項２に記載の封筒付き冊子において、
前記切り離し線は、前記上紙と前記下紙とで前記冊子部と前記封筒部との連接方向に互いにずれて形成されており、
前記封筒部は、前記ずれによって前記上紙と前記下紙とのいずれか一方が前記冊子部側に突出した領域をフラップ部とする封筒付き冊子。
【発明の詳細な説明】
【技術分野】
【０００１】
本発明は、冊子と封筒とが一体化されてなる封筒付き冊子に関する。
【背景技術】
【０００２】
従来より、商品等のカタログやパンフレットは、複数枚の紙片が綴じ合わされた冊子として提供されているものが多い。このようなカタログやパンフレットは、冊子状となっていることにより、多くの情報を表示することができるとともに、利用者が見やすいものとなっている。また、旅行や商品案内等のパンフレットをこのような冊子状とした場合、その旅行や商品案内等の申込書を冊子の一部として綴じ合わせておくことも考えられる。その場合、申込書を送付するための封筒を冊子と切り離し可能に一体化した技術が考えられ、例えば特許文献１に開示されている。
【０００３】
特許文献１に開示された技術は、上紙と下紙との間に少なくとも１枚の中紙を挟持してこれら上紙、下紙及び中紙の１辺を綴合部として綴じ合わせ、上紙及び下紙を綴合部から延長し、延長した上紙と下紙とを綴合部側を除く３辺にて貼着して封筒部を形成し、上紙及び下紙に冊子部と封筒部とを分離するための切り離し線を形成したものである。このような構成とすることにより、申込書作成から封筒へ封入するまでの一連の作業を手順よく行うことができるようになる。
【先行技術文献】
【特許文献】
【０００４】
【特許文献１】特許第３８５６９０７号公報
【発明の概要】
【発明が解決しようとする課題】
【０００５】
上述したようなカタログやパンフレットは郵送される場合もあり、その場合においても、特許文献１に開示されたもののように冊子部と封筒部とが一体化されたものを用いることにより、申込書作成から封筒へ封入するまでの一連の作業を手順よく行うことができるようになる。
【０００６】
ところが、特許文献１に開示された技術においては、封筒部が冊子部の綴合部側に連接しており、冊子部の綴合部とは反対側が綴じ合わされていないため、一端がばらついて郵送することができないという問題点がある。
【０００７】
本発明は、上述したような従来の技術が有する問題点に鑑みてなされたものであって、冊子部と封筒部とが切り離し可能に連接した構成においても郵送することができる封筒付き冊子を提供することを目的とする。
【課題を解決するための手段】
【０００８】
上記目的を達成するために本発明は、
冊子部と封筒部とが切り離し可能に連接してなる封筒付き冊子であって、
前記冊子部は、上紙と下紙との間に少なくとも１枚の中紙が挟み込まれ、前記上紙、下紙及び中紙が１辺を綴じ部として綴じ合わされて構成され、
前記封筒部は、前記上紙と前記下紙が前記冊子部から前記綴じ部とは反対側に延長し、延長した前記上紙と前記下紙とが前記冊子部との連接部以外の３辺にて貼着されることにより構成され、
前記上紙と前記下紙のそれぞれには、前記冊子部と前記封筒部との連接部に切り離し線が形成されている。
【０００９】
上記のように構成された本発明においては、上紙と下紙との間に少なくとも１枚の中紙が挟み込まれ、上紙、下紙及び中紙が１辺を綴じ部として綴じ合わされて構成された冊子部に対して、封筒部が、上紙と下紙が冊子部から綴じ部とは反対側に延長することによって構成されており、封筒部においては、延長した上紙と下紙とが冊子部との連接部以外の３辺にて貼着されているので、一端は、綴じ部となって上紙、下紙及び中紙が綴じ合わされており、他端は、上紙と下紙とが貼着されていることになり、それにより、一端がばらつくことがなく、郵送することができる。
【００１０】
また、上紙と下紙とが、冊子部にて綴じ部に隣接する２辺の少なくとも一部が互いに貼着され、上紙が、冊子部を開封する開封構造を有し、中紙が、連接部を超えないような形態とされて上紙及び下紙と綴じ合わされているものにおいては、冊子部の綴じ部に隣接する２辺においてもばらつくことがなく、郵送途中等において内部にごみ等が入りにくくしながらも、開封構造によって冊子部を開封することができる。
【００１１】
また、切り離し線が、上紙と下紙とで冊子部と封筒部との連接方向に互いにずれて形成されており、封筒部が、このずれによって上紙と下紙とのいずれか一方が冊子部側に突出した領域をフラップ部とするものにおいては、冊子部と封筒部とを切り離すだけで封筒のフラップ部が形成されることになる。
【発明の効果】
【００１２】
本発明によれば、一端は、冊子部の綴じ部となって上紙、下紙及び中紙が綴じ合わされており、他端は、封筒部にて上紙と下紙とが貼着されていることになるため、一端がばらつくことがなく、郵送することができる。
【００１３】
また、上紙と下紙とが、冊子部にて綴じ部に隣接する２辺の少なくとも一部が互いに貼着され、上紙が、冊子部を開封する開封構造を有するものにおいては、冊子部の綴じ部に隣接する２辺においてもばらつくことがなく、郵送途中等において内部にごみ等が入りにくくしながらも、開封構造によって冊子部を開封することができる。
【００１４】
また、切り離し線が、上紙と下紙とで冊子部と封筒部との連接方向に互いにずれて形成されており、封筒部が、このずれによって上紙と下紙とのいずれか一方が冊子部側に突出した領域をフラップ部とするものにおいては、冊子部と封筒部とを切り離すだけで封筒のフラップ部が形成されることになり、封筒部を用いた返送作業がさらに容易となる。
【図面の簡単な説明】
【００１５】
【図１】本発明の封筒付き冊子の第１の実施の形態を示す図であり、（ａ）は表面図、（ｂ）は（ａ）に示したＡ−Ａ’断面図である。
【図２】図１に示した封筒付き冊子の積層構造を示す図である。
【図３】図１及び図２に示した封筒付き冊子において冊子部を開封して見開く際の使用方法を説明するための図である。
【図４】図１及び図２に示した封筒付き冊子における封筒部の使用方法を説明するための図である。
【図５】本発明の封筒付き冊子の第２の実施の形態を示す図であり、（ａ）は表面図、（ｂ）は（ａ）に示したＡ−Ａ’断面図である。
【図６】図５に示した封筒付き冊子の積層構造を示す図である。
【図７】図５及び図６に示した封筒付き冊子において冊子部を開封して見開く際の使用方法を説明するための図である。
【図８】図５及び図６に示した封筒付き冊子における封筒部の使用方法を説明するための図である。
【図９】本発明の封筒付き冊子の第３の実施の形態を示す図であり、（ａ）は表面図、（ｂ）は（ａ）に示したＡ−Ａ’断面図である。
【図１０】図９に示した封筒付き冊子の積層構造を示す図である。
【図１１】図９及び図１０に示した封筒付き冊子において冊子部を開封して見開く際の使用方法を説明するための図である。
【図１２】図９及び図１０に示した封筒付き冊子における封筒部の使用方法を説明するための図である。
【発明を実施するための形態】
【００１６】
以下に、本発明の実施の形態について図面を参照して説明する。
【００１７】
（第１の実施の形態）
図１は、本発明の封筒付き冊子の第１の実施の形態を示す図であり、（ａ）は表面図、（ｂ）は（ａ）に示したＡ−Ａ’断面図である。図２は、図１に示した封筒付き冊子１の積層構造を示す図である。
【００１８】
本形態は図１及び図２に示すように、互いに同一形状を有する上紙２と下紙３との間に収容片４が挟み込まれ、これらが粘着剤５ａ〜５ｃによって互いに貼着されて構成されている。上紙２と下紙３にはそれぞれ、互いに並行する切り離し線となるミシン線３１，３２が形成されており、それにより、上紙２と下紙３のそれぞれは、冊子部１０を構成する領域と封筒部２０を構成する領域とに切り離し可能に構成されている。このような構成とすることにより、冊子部１０と封筒部２０とが、ミシン線３１，３２を連接部として切り離し可能に連接したものとなっている。ミシン線３１，３２は、冊子部１０と封筒部２０との連接方向に互いにずれて形成されており、それにより、封筒部２０を構成する領域において下紙３が上紙２よりも冊子部１０側に突出しており、上紙２の冊子部１０を構成する領域と下紙３の封筒部２０を構成する領域とがその一部にて対向している。なお、ミシン線３１は、本願発明の開封構造の一部も構成する。
【００１９】
冊子部１０は、上紙２と下紙３との間に収容片４が挟み込まれ、これらが１辺にて互いに貼着されることによってその１辺を綴じ部として綴じ合わされているとともに、上紙２と下紙３とが、綴じ部に隣接する２辺にて互いに貼着されて構成されている。上紙２の冊子部１０を構成する領域には、ミシン線３１以外の３辺に沿うように開封構造となるミシン線１２がコの字型に形成されており、上紙２の裏面のミシン線１２の外側の領域のうち、下紙３の冊子部１０を構成する領域に対向する部分に粘着剤５ａが塗布されている。また、上紙２の表面には、封筒付き冊子１の送付先の住所や氏名等の宛先情報１１が表示されている。また、下紙３の冊子部１０を構成する領域には、その表面のうちミシン線３２以外の３辺に沿うようにコの字型に粘着剤５ｂが塗布されている。
【００２０】
封筒部２０は、上紙２と下紙３が冊子部１０から綴じ部とは反対側に延長し、この延長した上紙２と下紙３とを、前面片、後面片及びフラップ部として構成され、上紙２と下紙３とが、冊子部１０との連接部以外の３辺にて貼着されている。上紙２の封筒部２０を構成する領域には、その裏面のうちミシン線３１以外の３辺に沿うようにコの字型に粘着剤５ｃが塗布されている。また、上紙２の表面には、封筒部２０を用いて返送する際の差出人の送付先の住所や氏名等を記入するための差出人情報記入欄２１が設けられている。また、下紙３の封筒部２０を構成する領域には、表面のミシン線３２以外の３辺に沿う領域のうち、上紙２の封筒部２０を構成する領域に対向する部分に粘着剤５ｃが塗布されており、上紙２の裏面に塗布された粘着剤５ｃと下紙３の表面に塗布された粘着剤５ｃとによって、封筒部２０において上紙２と下紙３とが貼着されている。また、下紙３には、ミシン線３２に沿う領域に剥離紙２２が剥離可能に貼着されている。
【００２１】
収容片４は、３枚の中紙４ａ〜４ｃがその１辺にて互いに貼着されることによってその１辺を綴じ部として綴じ合わされた状態で、上紙２と下紙３との間に挟み込まれている。中紙４ａは、冊子部１０と封筒部２０との連接方向の長さが下紙３の冊子部１０となる領域の長さよりも短く、それと直交する方向の長さが、上紙２のミシン線１２で囲まれた領域における同方向の長さよりも短くなっており、上紙２に対向する面のうち粘着剤５ａに対向する領域に粘着剤５ａが塗布されており、粘着剤５ａによって上紙２に貼着されている。また、中紙４ａのこれとは反対側の面には、粘着剤５ａに対向する領域に粘着剤５ｄが塗布されている。中紙４ｂは、中紙４ａと同一の形状を有し、中紙４ａに対向する面のうち粘着剤５ｄに対向する領域に粘着剤５ｄが塗布されており、粘着剤５ｄによって中紙４ａに貼着されている。また、中紙４ｂのこれとは反対側の面には、粘着剤５ｄに対向する領域に粘着剤５ｄが塗布されている。中紙４ｃは、冊子部１０と封筒部２０との連接方向の長さが下紙３の冊子部１０となる領域の長さよりも長く、それと直交する方向の長さが、上紙２のミシン線１２で囲まれた領域における同方向の長さよりも短くなっており、中紙４ｂに対向する面のうち粘着剤５ｄに対向する領域に粘着剤５ｄが塗布されており、粘着剤５ｄによって中紙４ｂに貼着されている。また、中紙４ｃのこれとは反対側の面には、粘着剤５ｄに対向する領域に粘着剤５ｂが塗布されている。この粘着剤５ｂは、下紙３の粘着剤５ｂに対向しており、中紙４ｃは、粘着剤５ｂによって下紙３に貼着されている。また、中紙４ｃは、中紙４ａ，４ｂと重ね合わされた場合に中紙４ａ，４ｂの綴じ部とは反対側となる辺に対向する領域に折り部４ｄが設けられており、この折り部４ｄにて折り畳まれた状態で上紙２と下紙３との間に挟み込まれる。それにより、収容片４は、上紙２と下紙３との間に綴じ合わされた状態においては、ミシン線３１，３２を超えて封筒部２０側には突出しない形態となって冊子部１０に収容されたものとなる。なお、本形態においては、収容片４を構成する中紙４ａ〜４ｃのうち中紙４ｂが、返送が必要となる申込書となっている。
【００２２】
このように構成された封筒付き冊子１においては、上紙２と下紙３との間に収容片４が挟み込まれ、これらが１辺にて互いに貼着されることによってその１辺を綴じ部として綴じ合わされた冊子部１０に、上紙２と下紙３が冊子部１０から綴じ部とは反対側に延長し、この延長した上紙２と下紙３とを、前面片、後面片及びフラップ部として構成され、上紙２と下紙３とが、冊子部１０との連接部以外の３辺にて貼着された封筒部２０が切り離し可能に連接されているので、一端は、冊子部１０の綴じ部となって上紙２、下紙３及び収容片４が綴じ合わされており、他端は、上紙２と下紙３とが貼着されていることになり、それにより、一端がばらつくことがなく、上紙２の冊子部１０を構成する領域に表示された宛先情報１１に従って郵送することができる。また、上紙２と下紙３とが冊子部１０にて綴じ部に隣接する２辺にて互いに貼着されていることにより、冊子部１０においても封筒部２０との連接部以外の３辺が貼着されたものとなり、それにより、郵送途中等においてごみ等が入りにくくすることができる。
【００２３】
以下に、上述した封筒付き冊子１の使用方法について説明する。
【００２４】
まず、冊子部１０を開封して見開く際の使用方法について説明する。
【００２５】
図３は、図１及び図２に示した封筒付き冊子１において冊子部１０を開封して見開く際の使用方法を説明するための図である。
【００２６】
図１及び図２に示した封筒付き冊子１において冊子部１０を開封して見開くためには、まず、図３（ａ）に示すように、冊子部１０において、上紙２に形成されたミシン線１２，３１を破断していく。この際、ミシン線１２とミシン線３１が交わる領域を破断開始端とすることが考えられるため、その領域に、破断開始端を指示する情報を表示したり、切り欠きを設けたりすることが好ましい。
【００２７】
ミシン線３１のうちミシン線１２によって囲まれる領域に接する部分と、ミシン線１２のうちミシン線３１に交わる辺部とを完全に破断すると、図３（ｂ）に示すように、上紙２のミシン線１２，３１によって囲まれた領域を捲り上げ、冊子部１０を開封して綴じ部を中心として見開くことができ、収容片４が表出する。
【００２８】
そして、図３（ｃ）に示すように収容片４を見開くとともに、折り部４ｄにて折り畳まれていた中紙４ｃも見開くことにより、中紙４ａ〜４ｃに表示された情報を視認することができる。
【００２９】
次に、封筒部２０の使用方法について説明する。
【００３０】
図４は、図１及び図２に示した封筒付き冊子１における封筒部２０の使用方法を説明するための図である。
【００３１】
図３に示したようにして封筒付き冊子１を開封し、図４（ａ）に示すように収容片４を全て捲り上げた状態において、図４（ｂ）に示すように、ミシン線３１，３２を破断することにより封筒部２０と冊子部１０とを分離させる。この際、収容片４を全て捲り上げた状態においても上紙２の冊子部１０を構成する領域と下紙３の封筒部２０を構成する領域との一部が対向しているが、この領域は上紙２と下紙３が貼着されていないため、ミシン線３１，３２を破断することで封筒部２０と冊子部１０とを分離させることができる。
【００３２】
冊子部１０から分離した封筒部２０は、上述したように、下紙３が上紙２よりも冊子部１０側に突出していることにより、図４（ｃ）に示すように、下紙３の突出した領域をフラップ部２５とすることができ、また、それに伴い、下紙３のそれ以外の領域を表面片２３とし、上紙２を裏面片２４とすることができる。そして、上述したように、封筒部２０においては、上紙２と下紙３とが冊子部１０との連接部以外の３辺にて粘着剤５ｃによって互いに貼着されているため、図４（ｃ）に示すように、フラップ部２５側から表面片２３と裏面片２４との間に中紙４ｂを収容することができる。このように、冊子部１０と封筒部２０とを切り離すだけでフラップ部２５が形成されることにより、封筒部２０を用いた返送作業がさらに容易となる。
【００３３】
中紙４ｂを封筒部２０に収容した後、図４（ｄ）に示すように、フラップ部２５に剥離可能に貼着された剥離紙２２を剥離して粘着剤２６を表出させ、図４（ｅ）に示すようにフラップ部２５を折り畳んで粘着剤２６によって裏面片２４と貼着させることによって封筒部２０を封緘するとともに、上紙２の裏面片２４となる領域に設けられた差出人情報記入欄２１に差出人の送付先の住所や氏名等の差出人情報２１ａを記入する。
【００３４】
下紙３の表面片２３となる領域には、図４（ｆ）に示すように、封筒部２０を用いて返送する際の返送先の住所や氏名等の返送先情報２７が表示されているため、封緘された封筒部２０は返送先情報２７に従って返送されることになる。
【００３５】
（第２の実施の形態）
図５は、本発明の封筒付き冊子の第２の実施の形態を示す図であり、（ａ）は表面図、（ｂ）は（ａ）に示したＡ−Ａ’断面図である。図６は、図５に示した封筒付き冊子１０１の積層構造を示す図である。
【００３６】
本形態は図５及び図６に示すように、第１の実施の形態にて示したものにおいて上紙２の冊子部１０を構成する領域のうち下紙３の封筒部２０を構成する領域に対向する部分が、開封構造となるジッパー部１３０となっているものである。ジッパー部１３０は、上紙１０２に形成された互いに並行する２本のミシン線１３１，１３３によって上紙１０２から切り離し可能に構成されている。ミシン線１３１は上紙１０２のうち第１の実施の形態に示したミシン線３１と同一の領域に形成されており、また、ミシン線１３３は、下紙１０３に形成されたミシン線１３２に対向するように形成されている。また、上紙１０２に形成されたミシン線１１２は、第１の実施の形態にて示したものはミシン線３１と交わる部分まで形成されているが、本形態においては、ミシン線１３３と交わる部分までしか形成されていない。
【００３７】
このように構成された封筒付き冊子１０１においても、第１の実施の形態にて示したものと同様に、上紙１０２と下紙１０３との間に収容片１０４が挟み込まれ、これらが１辺にて互いに貼着されることによってその１辺を綴じ部として綴じ合わされた冊子部１１０に、上紙１０２と下紙１０３が冊子部１１０から綴じ部とは反対側に延長し、この延長した上紙１０２と下紙１０３とを、前面片、後面片及びフラップ部として構成され、上紙１０２と下紙１０３とが、冊子部１１０との連接部以外の３辺にて貼着された封筒部１２０が切り離し可能に連接されているので、一端は、冊子部１１０の綴じ部となって上紙１０２、下紙１０３及び収容片１０４が綴じ合わされており、他端は、上紙１０２と下紙１０３とが貼着されていることになり、それにより、一端がばらつくことがなく、上紙１０２の冊子部１１０を構成する領域に表示された宛先情報１１１に従って郵送することができる。また、上紙１０２と下紙１０３とが冊子部１１０にて綴じ部に隣接する２辺にて互いに貼着されていることにより、冊子部１１０においても封筒部１２０との連接部以外の３辺が貼着されたものとなり、それにより、郵送途中等においてごみ等が入りにくくすることができる。
【００３８】
以下に、上述した封筒付き冊子１０１の使用方法について説明する。
【００３９】
まず、冊子部１１０を開封して見開く際の使用方法について説明する。
【００４０】
図７は、図５及び図６に示した封筒付き冊子１０１において冊子部１１０を開封して見開く際の使用方法を説明するための図である。
【００４１】
図５及び図６に示した封筒付き冊子１０１において冊子部１１０を開封して見開くためには、まず、図７（ａ）に示すように、上紙１０２に形成されたミシン線１３１，１３３を破断していきジッパー部１３０を上紙１０２から切り離す。また、第１の実施の形態に示したものと同様に、ミシン線１１２を破断していく。
【００４２】
ジッパー部１３０を上紙１０２から切り離すとともに、ミシン線１１２のうちミシン線１３３に交わる辺部を完全に破断すると、図７（ｂ）に示すように、上紙１０２のミシン線１１２，１３３によって囲まれた領域を捲り上げ、冊子部１１０を開封して綴じ部を中心として見開くことができ、収容片１０４が表出する。
【００４３】
そして、図７（ｃ）に示すように収容片１０４を見開くとともに、折り部１０４ｄにて折り畳まれていた中紙１０４ｃも見開くことにより、中紙１０４ａ〜１０４ｃに表示された情報を視認することができる。
【００４４】
次に、封筒部１２０の使用方法について説明する。
【００４５】
図８は、図５及び図６に示した封筒付き冊子１０１における封筒部１２０の使用方法を説明するための図である。
【００４６】
図７に示したようにして封筒付き冊子１０１を開封し、図８（ａ）に示すように収容片１０４を全て捲り上げた状態において、図８（ｂ）に示すように、ミシン線１３２を破断することにより封筒部１２０と冊子部１１０とを分離させる。
【００４７】
冊子部１１０から分離した封筒部１２０は、第１の実施の形態にて示したものと同様に、下紙１０３が上紙１０２よりも冊子部１１０側に突出していることにより、図８（ｃ）に示すように、下紙１０３の突出した領域をフラップ部１２５とすることができ、また、それに伴い、下紙１０３のそれ以外の領域を表面片１２３とし、上紙１０２を裏面片１２４とすることができる。そして、第１の実施の形態にて示したものと同様に、封筒部１２０においては、上紙１０２と下紙１０３とが冊子部１１０との連接部以外の３辺にて粘着剤１０５ｃによって互いに貼着されているため、図８（ｃ）に示すように、フラップ部１２５側から表面片１２３と裏面片１２４との間に申込書となる中紙１０４ｂを収容することができる。このように、冊子部１１０と封筒部１２０とを切り離すだけでフラップ部１２５が形成されることにより、封筒部１２０を用いた返送作業がさらに容易となる。
【００４８】
中紙１０４ｂを封筒部１２０に収容した後、図８（ｄ）に示すように、フラップ部１２５に剥離可能に貼着された剥離紙１２２を剥離して粘着剤１２６を表出させ、図８（ｅ）に示すようにフラップ部１２５を折り畳んで粘着剤１２６によって裏面片１２４と貼着させることによって封筒部１２０を封緘するとともに、上紙１０２の裏面片１２４となる領域に設けられた差出人情報記入欄１２１に差出人の送付先の住所や氏名等の差出人情報１２１ａを記入する。
【００４９】
下紙１０３の表面片１２３となる領域には、図８（ｆ）に示すように、封筒部１２０を用いて返送する際の返送先の住所や氏名等の返送先情報１２７が表示されているため、封緘された封筒部１２０は返送先情報１２７に従って返送されることになる。
【００５０】
（第３の実施の形態）
図９は、本発明の封筒付き冊子の第３の実施の形態を示す図であり、（ａ）は表面図、（ｂ）は（ａ）に示したＡ−Ａ’断面図である。図１０は、図９に示した封筒付き冊子２０１の積層構造を示す図である。
【００５１】
本形態は図９及び図１０に示すように、第１の実施の形態にて示したものに対して、上紙２０２の冊子部２１０を構成する領域と下紙２０３の封筒部２２０を構成する領域とが対向する部分においても粘着剤２０５ａ，２０５ｃが塗布されている点と、ミシン線２３１の形状とが異なるものである。本形態におけるミシン線２３１は、ミシン線２１２と交わる部分から上紙２０２の両端部まで延びた部分がミシン線２３２と対向している。
【００５２】
このように構成された封筒付き冊子２０１においても、第１の実施の形態にて示したものと同様に、上紙２０２と下紙２０３との間に収容片２０４が挟み込まれ、これらが１辺にて互いに貼着されることによってその１辺を綴じ部として綴じ合わされた冊子部２１０に、上紙２０２と下紙２０３が冊子部２１０から綴じ部とは反対側に延長し、この延長した上紙２０２と下紙２０３とを、前面片、後面片及びフラップ部として構成され、上紙２０２と下紙２０３とが、冊子部２１０との連接部以外の３辺にて貼着された封筒部２２０が切り離し可能に連接されているので、一端は、冊子部２１０の綴じ部となって上紙２０２、下紙２０３及び収容片２０４が綴じ合わされており、他端は、上紙２０２と下紙２０３とが貼着されていることになり、それにより、一端がばらつくことがなく、上紙２０２の冊子部２１０を構成する領域に表示された宛先情報２１１に従って郵送することができる。また、上紙２０２と下紙２０３とが冊子部２１０にて綴じ部に隣接する２辺にて互いに貼着されていることにより、冊子部２１０においても封筒部２２０との連接部以外の３辺が貼着されたものとなり、それにより、郵送途中等においてごみ等が入りにくくすることができる。
【００５３】
以下に、上述した封筒付き冊子２０１の使用方法について説明する。
【００５４】
まず、冊子部２１０を開封して見開く際の使用方法について説明する。
【００５５】
図１１は、図９及び図１０に示した封筒付き冊子２０１において冊子部２１０を開封して見開く際の使用方法を説明するための図である。
【００５６】
図９及び図１０に示した封筒付き冊子２０１において冊子部２１０を開封して見開くためには、まず、図１１（ａ）に示すように、冊子部２１０において、上紙２０２に形成されたミシン線２１２，２３１を破断していく。
【００５７】
ミシン線２３１のうちミシン線２１２によって囲まれる領域に沿う部分と、ミシン線２１２のうちミシン線２３１に交わる辺部とを完全に破断すると、図１１（ｂ）に示すように、上紙２０２のミシン線２１２，２３１によって囲まれた領域を捲り上げ、冊子部２１０を開封して綴じ部を中心として見開くことができ、収容片２０４が表出する。
【００５８】
そして、図１１（ｃ）に示すように収容片２０４を見開くとともに、折り部２０４ｄにて折り畳まれていた中紙２０４ｃも見開くことにより、中紙２０４ａ〜２０４ｃに表示された情報を視認することができる。
【００５９】
次に、封筒部２２０の使用方法について説明する。
【００６０】
図１２は、図９及び図１０に示した封筒付き冊子２０１における封筒部２２０の使用方法を説明するための図である。
【００６１】
図１１に示したようにして封筒付き冊子１を開封し、図１２（ａ）に示すように収容片１０４を全て捲り上げた状態において、図１２（ｂ）に示すように、ミシン線２３１，２３２を破断することにより封筒部２２０と冊子部２１０とを分離させる。この際、収容片２０４を全て捲り上げた状態においても上紙２０２の冊子部２１０を構成する領域と下紙２０３の封筒部２２０を構成する領域との一部が対向しており、この部分が粘着剤２０５ａ，２０５ｂによって互いに貼着されているが、上紙２０２のミシン線２３１の破断されていない領域が下紙２０３のミシン線２３２に対向しているため、ミシン線２３１，２３２を破断することで封筒部２２０と冊子部２１０とを分離させることができる。
【００６２】
冊子部２１０から分離した封筒部２２０は、第１の実施の形態にて示したものと同様に、下紙２０３が上紙２０２よりも冊子部２１０側に突出していることにより、図１２（ｃ）に示すように、下紙２０３の突出した領域をフラップ部２２５とすることができ、また、それに伴い、下紙２０３のそれ以外の領域を表面片２２３とし、上紙２０２を裏面片２２４とすることができる。そして、上述したように、封筒部２２０においては、上紙２０２と下紙２０３とが冊子部２１０との連接部以外の３辺にて粘着剤２０５ｃによって互いに貼着されているため、図１２（ｃ）に示すように、フラップ部２２５側から表面片２２３と裏面片２２４との間に申込書となる中紙２０４ｂを収容することができる。このように、冊子部２１０と封筒部２２０とを切り離すだけでフラップ部２２５が形成されることにより、封筒部２２０を用いた返送作業がさらに容易となる。
【００６３】
中紙２０４ｂを封筒部２２０に収容した後、図１２（ｄ）に示すように、フラップ部２２５に剥離可能に貼着された剥離紙２２２を剥離して粘着剤２２６を表出させ、図１２（ｅ）に示すようにフラップ部２２５を折り畳んで粘着剤２２６によって裏面片２２４と貼着させることによって封筒部２２０を封緘するとともに、上紙２０２の裏面片２２４となる領域に設けられた差出人情報記入欄２２１に差出人の送付先の住所や氏名等の差出人情報２２１ａを記入する。
【００６４】
下紙２０３の表面片２２３となる領域には、図１２（ｆ）に示すように、封筒部２２０を用いて返送する際の返送先の住所や氏名等の返送先情報２２７が表示されているため、封緘された封筒部２２０は返送先情報２２７に従って返送されることになる。
【００６５】
なお、上述した実施の形態においては、冊子部１０，１１０，２１０において上紙２，１０２，２０２と下紙３，１０３，２０３との間に、３枚の中紙４ａ〜４ｃ，１０４ａ〜１０４ｃ，２０４ａ〜２０４ｃからなる収容片４，１０４，２０４が挟み込まれているが、収容片４，１０４，２０４を構成する中紙は複数枚である必要はなく、少なくとも１枚であればよい。
【００６６】
また、封筒部２０，１２０，２２０を構成する領域において下紙３，１０３，２０３が上紙２，１０２，２０２よりも冊子部１０，１１０，２１０側に突出していることにより、封筒部２０，１２０，２２０と冊子部１０，１１０，２１０とを分離した際に、下紙３，１０３，２０３の突出した領域がフラップ部２５，１２５，２２５となっているが、封筒部２０，１２０，２２０を構成する領域において上紙２，１０２，２０２が下紙３，１０３，２０３よりも冊子部１０，１１０，２１０側に突出していることにより、封筒部２０，１２０，２２０と冊子部１０，１１０，２１０とを分離した際に、上紙２，１０２，２０２の突出した領域がフラップ部となる構成としてもよい。
【００６７】
また、上述した実施の形態においては、封筒部２０，１２０，２２０に、封筒部２０，１２０，２２０を用いて返送する際の差出人の送付先の住所や氏名等を記入するための差出人情報記入欄２１，１２１，２２１を設けた構成としたが、封筒部２０，１２０，２２０に、差出人の送付先の住所や氏名等の差出人情報を予め印字しておく構成としてもよい。
【符号の説明】
【００６８】
１，１０１，２０１    封筒付き冊子
２，１０２，２０２    上紙
３，１０３，２０３    下紙
４，１０４，２０４    収容片
４ａ〜４ｃ，１０４ａ〜１０４ｃ，２０４ａ〜２０４ｃ    中紙
４ｄ，１０４ｄ，２０４ｄ    折り部
５ａ〜５ｃ，２６，１０５ａ〜１０５ｃ，２０５ａ〜２０５ｃ    粘着剤
１０，１１０，２１０    冊子部
１１，１１１，２１１    宛先情報
１２，３１，３２，１１２，１３１，１３２，１３３    ミシン線
２０，１２０，２２０    封筒部
２１，１２１，２２１    差出人情報記入欄
２１ａ，１２１ａ，２２１ａ    差出人情報
２２，１２２，２２２    剥離紙
２３，１２３，２２３    表面片
２４，１２４，２２４    裏面片
２５，１２５，２２５    フラップ部
２７，１２７，２２７    返送先情報
１３０    ジッパー部
【図１】
2014205292.tif 000003
【図２】
2014205292.tif 000004
【図３】
2014205292.tif 000005
【図４】
2014205292.tif 000006
【図５】
2014205292.tif 000007
【図６】
2014205292.tif 000008
【図７】
2014205292.tif 000009
【図８】
2014205292.tif 000010
【図９】
2014205292.tif 000011
【図１０】
2014205292.tif 000012
【図１１】
2014205292.tif 000013
【図１２】
2014205292.tif 000014